(57)【特許請求の範囲】
【請求項１】
ヘアドライヤーであって、
本体と、
ファンユニットと、
流体を前記本体まで運ぶためのダクトとを含み、
前記ダクトは、前記本体から遠い前記ダクトの端部又はその近くに配置された流体入口を含み、前記ファンユニットは、前記ダクト内で前記入口と前記本体の間に配置され、
前記ダクトの一部分は、材料でライニングされ、
前記ダクトの前記ライニング部分は、前記ファンユニットと前記本体の間に配置されていて、
前記ダクトは、ヘアドライヤーの第１のハンドル部分及び第２のハンドル部分を含み、
前記各ハンドル部分が、前記材料でライニングされる、
ことを特徴とするヘアドライヤー。
【請求項２】
前記ダクトの前記ライニング部分は、前記流体入口と前記ファンユニットの間に配置されることを特徴とする、請求項１に記載のヘアドライヤー。
【請求項３】
前記材料は、発泡体又はフェルトであることを特徴とする、請求項１又は請求項２に記載のヘアドライヤー。
【請求項４】
前記材料は、音吸収性材料であることを特徴とする、請求項１から請求項３のいずれか１項に記載のヘアドライヤー。
【請求項５】
前記材料は、振動収性材料であることを特徴とする、請求項１から請求項４のいずれか１項に記載のヘアドライヤー。
【請求項６】
前記材料は、絶縁体であることを特徴とする、請求項１から請求項５のいずれか１項に記載のヘアドライヤー。
【請求項７】
前記材料は、ヘアドライヤーの共振周波数に合わされることを特徴とする、請求項１から請求項６のいずれか１項に記載のヘアドライヤー。
【請求項８】
前記ファンユニットは、前記入口と前記本体の間のほぼ中央に配置されることを特徴とする、請求項１から請求項７のいずれか１項に記載のヘアドライヤー。
【請求項９】
前記ダクトは、ヘアドライヤーのハンドル部分を含むことを特徴とする、請求項１から請求項８のいずれか１項に記載のヘアドライヤー。
【請求項１０】
ヘアドライヤーであって、
本体と、
ファンユニットと、
流体を前記本体まで運ぶためのダクトとを含み、
前記ダクトは、前記本体から遠い前記ダクトの端部又はその近くに配置された流体入口を含み、前記ファンユニットは、前記ダクト内で前記入口と前記本体の間に配置され、
前記ダクトの一部分は、材料でライニングされ、
前記ダクトの前記ライニング部分は、前記ファンユニットと前記本体の間に配置されていて、
前記ダクトは、ヘアドライヤーのハンドル部分を含み、
前記ダクトは、ヘアドライヤーの第１のハンドル部分及び第２のハンドル部分を含み、
前記各ハンドル部分が、前記材料でライニングされる、
ことを特徴とするヘアドライヤー。
【請求項１１】
前記ファンユニットは、前記ハンドル部分の上流にあることを特徴とする、請求項９又は請求項１０に記載のヘアドライヤー。
【請求項１２】
主流体流路が、前記流体入口から流体出口まで延びることを特徴とする、請求項１から請求項１１のいずれか１項に記載のヘアドライヤー。
【請求項１３】
前記主流体流路は、非直線状であることを特徴とする、請求項１２に記載のヘアドライヤー。
【請求項１４】
ヘアドライヤーであって、
本体と、
ファンユニットと、
流体を前記本体まで運ぶためのダクトとを含み、
前記ダクトは、前記本体から遠い前記ダクトの端部又はその近くに配置された流体入口を含み、前記ファンユニットは、前記ダクト内で前記入口と前記本体の間に配置され、
前記ダクトの一部分は、材料でライニングされ、
前記ダクトの前記ライニング部分は、前記ファンユニットと前記本体の間に配置されていて、
主流体流路が、前記流体入口から流体出口まで延び、
前記主流体流路は、非直線状であり、
前記ダクトは、ヘアドライヤーの第１のハンドル部分及び第２のハンドル部分を含み、
前記各ハンドル部分が、前記材料でライニングされる、
ことを特徴とするヘアドライヤー。
【請求項１５】
前記主流体流路は、前記本体を少なくとも部分的に通って前記流体出口まで延びることを特徴とする、請求項１２から請求項１４のいずれか１項に記載のヘアドライヤー。
【請求項１６】
前記ダクトは、円形断面を有することを特徴とする、請求項１から請求項１５のいずれか１項に記載のヘアドライヤー。
【請求項１７】
ヘアドライヤーであって、
本体と、
ファンユニットと、
流体を前記本体まで運ぶためのダクトとを含み、
前記ダクトは、前記本体から遠い前記ダクトの端部又はその近くに配置された流体入口を含み、前記ファンユニットは、前記ダクト内で前記入口と前記本体の間に配置され、
前記ダクトの一部分は、材料でライニングされ、
前記ダクトの前記ライニング部分は、前記ファンユニットと前記本体の間に配置されていて、
前記ダクトは、ヘアドライヤーの第１のハンドル部分及び第２のハンドル部分を含み、
前記各ハンドル部分が、前記材料でライニングされる、
ことを特徴とするヘアドライヤー。
【請求項１８】
主流体流路が、前記流体入口から流体出口まで延び、前記ファンユニットは、前記ダクトの前記ハンドル部分間に流体的に配置された前記主流体流路のある一定の部分内に配置されることを特徴とする、請求項１に記載のヘアドライヤー。
【請求項１９】
加熱器が設けられ、前記加熱器は、前記本体に配置されることを特徴とする、請求項１から請求項１８のいずれか１項に記載のヘアドライヤー。
【請求項２０】
主流体流路が、前記流体入口から流体出口まで延び、前記加熱器は、前記主流体流路に配置されることを特徴とする、請求項１９に記載のヘアドライヤー。
【請求項２１】
前記加熱器は、形状が環状であることを特徴とする、請求項１９又は請求項２０に記載のヘアドライヤー。
【請求項２２】
前記加熱器は、形状が管状であることを特徴とする、請求項１９から請求項２１のいずれか１項に記載のヘアドライヤー。
【請求項２３】
手持ち式電気器具であって、
本体と、
ファンユニットと、
流体を前記本体まで運ぶためのダクトとを含み、
前記ダクトは、前記本体から遠い前記ダクトの端部又はその近くに配置された流体入口を含み、前記ファンユニットは、前記ダクト内で前記入口と前記本体の間に配置され、
前記ダクトの一部分は、材料でライニングされ、
前記ダクトの前記ライニング部分は、前記ファンユニットと前記本体の間に配置されていて、
前記ダクトは、ヘアドライヤーの第１のハンドル部分及び第２のハンドル部分を含み、
前記各ハンドル部分が、前記材料でライニングされる、
ことを特徴とする手持ち式電気器具。
【請求項２４】
前記ダクトの前記ライニング部分は、前記流体入口と前記ファンユニットの間に配置されることを特徴とする、請求項２３に記載の手持ち式電気器具。
【請求項２５】
前記材料は、発泡体又はフェルトであることを特徴とする、請求項２３又は請求項２４に記載の手持ち式電気器具。
【請求項２６】
前記材料は、音吸収性材料であることを特徴とする、請求項２３から請求項２５のいずれか１項に記載の手持ち式電気器具。
【請求項２７】
前記材料は、振動収性材料であることを特徴とする、請求項２３から請求項２６のいずれか１項に記載の手持ち式電気器具。
【請求項２８】
前記材料は、絶縁体であることを特徴とする、請求項２３から請求項２７のいずれか１項に記載の手持ち式電気器具。
【請求項２９】
前記材料は、ヘアドライヤーの共振周波数に合わされることを特徴とする、請求項２３から請求項２８のいずれか１項に記載の手持ち式電気器具。
【請求項３０】
前記ファンユニットは、前記入口と前記本体の間のほぼ中央に配置されることを特徴とする、請求項２３から請求項２９のいずれか１項に記載の手持ち式電気器具。
【請求項３１】
前記ダクトは、ヘアドライヤーのハンドル部分を含むことを特徴とする、請求項２３から請求項３０のいずれか１項に記載の手持ち式電気器具。
【請求項３２】
前記ファンユニットは、前記ハンドル部分の上流にあることを特徴とする、請求項３１に記載の手持ち式電気器具。
【請求項３３】
主流体流路が、前記流体入口から流体出口まで延びることを特徴とする、請求項２３から請求項３２のいずれか１項に記載の手持ち式電気器具。
【請求項３４】
前記主流体流路は、非直線状であることを特徴とする、請求項３３に記載の手持ち式電気器具。
【請求項３５】
前記主流体流路は、前記本体を少なくとも部分的に通って前記流体出口まで延びることを特徴とする、請求項３３又は請求項３４に記載の手持ち式電気器具。
【請求項３６】
前記ダクトは、円形断面を有することを特徴とする、請求項２３から請求項３５のいずれか１項に記載の手持ち式電気器具。
【請求項３７】
主流体流路が、前記流体入口から流体出口まで延び、前記ファンユニットは、前記ダクトの前記ハンドル部分間に流体的に配置された前記主流体流路のある一定の部分内に配置されることを特徴とする、請求項３６に記載の手持ち式電気器具。
【請求項３８】
加熱器が設けられ、前記加熱器は、前記本体に配置されることを特徴とする、請求項２３から請求項３７のいずれか１項に記載の手持ち式電気器具。
【請求項３９】
主流体流路が、前記流体入口から流体出口まで延び、前記加熱器は、前記主流体流路に配置されることを特徴とする、請求項３８に記載の手持ち式電気器具。
【請求項４０】
前記加熱器は、形状が環状であることを特徴とする、請求項３８又は請求項３９に記載の手持ち式電気器具。
【請求項４１】
前記加熱器は、形状が管状であることを特徴とする、請求項３８から請求項４０のいずれか１項に記載の手持ち式電気器具。
【請求項４２】
前記本体を通って延びる流体流路を含むことを特徴とする、請求項２３から請求項４１のいずれか１項に記載の手持ち式電気器具。
【請求項４３】
主流体流路が、前記流体入口から流体出口まで延び、流体が、前記主流体流路の前記流体出口から放出される流体によって前記流体流路を通って引き込まれることを特徴とする、請求項４２に記載の手持ち式電気器具。
【請求項４４】
前記流体流路は、前記本体を直線状に通過することを特徴とする、請求項４２又は請求項４３に記載の手持ち式電気器具。
【請求項４５】
前記流体流路は、前記本体を通って延びるボアにより形成されることを特徴とする、請求項４２から請求項４４のいずれか１項に記載の手持ち式電気器具。
【請求項４６】
前記ボアは、ヘアドライヤーの前記本体の外部壁であることを特徴とする、請求項４５に記載の手持ち式電気器具。
【請求項４７】
前記ボアは、前記流体出口を少なくとも部分的に形成することを特徴とする、請求項４５又は請求項４６に記載の手持ち式電気器具。
【請求項４８】
加熱器が設けられ、前記加熱器は、前記本体に配置され、前記ボアは、前記加熱器を取り囲むことを特徴とする、請求項４５から請求項４７のいずれか１項に記載の手持ち式電気器具。
【発明の詳細な説明】
【技術分野】
【０００１】
本発明は、送風機に関し、特にヘアドライヤーのような温風送風機に関する。
【背景技術】
【０００２】
送風機、特に温風送風機は、塗料又は毛髪のような物を乾燥し、及び表層を清掃したりはぎ取ったりする様々な用途で使用される。一般的に、流体を本体内に引き込むモータ及びファンが設けられ、流体は、本体から出る前に加熱することができる。モータは、ほこり又は毛髪のような異物により損傷し易いので、従来は、送風機の流体吸入口にフィルタが設けられていた。
【発明の概要】
【課題を解決するための手段】
【０００３】
本発明は、本体と、ファンユニットと、流体を本体まで運ぶためのダクトとを含み、ダクトが、本体から遠いダクトの端部又はその近くに配置される流体入口を含み、ファンユニットが、ダクト内で入口と本体の間に配置され、ダクトの一部分が、材料でライニングされるヘアドライヤーを提供する。
【０００４】
好ましくは、ダクトのライニング部分は、ファンユニットと本体の間に配置される。
【０００５】
ダクトのライニング部分は、流体入口とファンアセンブリの間に配置されることが好ましい。
【０００６】
好ましくは、材料は、発泡体又はフェルトである。材料は音吸収性材料であることが好ましい。代替的に又は追加的に、材料は、振動吸収性材料、及び／又は例えば熱的絶縁体又はノイズ絶縁体のような絶縁体である。材料の吸収特性は、問題となっている特性を少なくとも軽減し、好ましくは、例えば、物質密度及びライニング厚みにより、具体的に電気器具に合わせてもよい。材料は、更に、電気器具の共振周波数に基づいて選択又は調整可能である。このような方法で、電気器具は全体的に消音され、又は操作することができ、ユーザに対してノイズ特性を改善する。材料は、好ましくは、厚みが約３ｍｍである。
【０００７】
材料は、代替的に又は追加的に、ある波長を反射可能であり、建設的干渉を使用してそれらを軽減する。材料の吸収特性は、問題となっている特性を少なくとも軽減し、好ましくは、例えば、物質密度及びライニング厚みにより、具体的にヘアドライヤーに合わせてもよい。材料は、更に、ヘアドライヤーの共振周波数に基づいて選択又は調整可能である。このような方法で、ヘアドライヤーは全体的に消音され、又は操作することができ、ユーザに対してノイズ特性を改善する。
【０００８】
好ましくは、ダクトは、ヘアドライヤーのハンドル部分を含む。好ましくは、ダクトのハンドル部分は上述の材料でライニングされる。ライニングは、ダクト／ハンドル部分の回りで連続していることが好ましい。
【０００９】
ファンユニットは、ハンドル部分の上流に配置されることが好ましい。
【００１０】
好ましくは、ダクトは、ヘアドライヤーの第１のハンドル部分及び一部分を含み、各ハンドル部分は、上述の材料でライニングされる。好ましくは、ファンユニットは、流体的にダクトのハンドル部分間に配置された主流体流路のある一定の部分内に配置される。好ましくは、ファンユニットは、入口と本体の間のほぼ中央に配置される。代替的に、ファンユニットは、入口又は本体の一方により近い。従って、この実施形態において、２つのサイレンサがあり、モータの各側（上流及び下流）に１つが配置される。好ましくは、各ハンドル部分のライニングは、例えば、長さ、材料及び厚みが最適化されて、消音器の出口での及び消音器への入口又は本体へのハンドル出口及びハンドルへの入口での音響パワーレベルを実質的に等しくする。
【００１１】
ダクトは断面が円形とすることができるが、ダクトは断面が非円形であること、すなわち、扁円形、長円形、又はレーストラック形状であることが好ましい。非円形のダクトの使用には利点があり、第１に、ダクトがハンドルとして使用される場合に、扁円形又は長円形は、円形のグリップよりも曲げた指により作られる形状により正確に似ているので、ユーザがそれを把持し易く、第２に、非円形は、ダクト又はハンドルに方向性を与えるために使用可能である。この方向性は、ユーザによるヘアドライヤーの使用をより容易にする。第３の利点は、把持可能なハンドルに関して、長円形は円形ハンドルよりもより大きな断面積を与え、より多い流れが長円形のハンドルを通過可能であることを意味する。これは、作動しているヘアドライヤーによって生成されるノイズ、ヘアドライヤーにより消費される電力、及びヘアドライヤー内の圧力又はダクト損失のうちの１つ又はそれよりも多くを軽減可能である。
【００１２】
ダクトの一部分は、好ましくは、本体の一部を形成し、すなわち、ダクトは本体に直線状に開いていない。本体は、好ましくは、ダクトと本体との結合部の回りを材料でライニングされる。
【００１３】
好ましくは、ヘアドライヤーは、流体入口からダクトを通って流体出口まで延びる主流体流路を含む。好ましくは、主流体流路は、非直線状である。
【００１４】
好ましくは、主流体流路は、流体入口から流体出口まで延びる。主流体流路は、本体を少なくとも部分的に通って流体出口まで延びることが好ましい。
【００１５】
好ましくは、ダクトは、ヘアドライヤーの第１のハンドル部分及び第２のハンドル部分を含み、各ハンドル部分は、上述の材料でライニングされる。好ましくは、ファンユニットは、流体的にダクトのハンドル部分間に配置された主流体流路のある一定の部分内に配置される。
【００１６】
ヘアドライヤーは、主流体流路の流体流れに作用するための手段を含むことが好ましい。限定されるものではないが、そのような手段は、ファンユニット及び加熱器である。流体流れに作用するこの手段はまた、例えば、ヘアドライヤーを通して流体を引き込み、流体を加熱し又は流体流れを濾過することにより、流れる流体を処理するプロセッサと考えることができる。
【００１７】
好ましくは、主流体流路は、本体に配置された入口部分及び本体に配置された出口部分を含む。主流体流路の入口部分及び出口部分の各々は、形状が環状であることが好ましい。
【００１８】
入口部分及び出口部分は、本体を通って実質的に同じ方向に流体を運ぶように構成されることが好ましい。
【００１９】
好ましくは、ダクトは、第２の本体を通って延び、ファンユニットは、第２の本体に収容される。
【００２０】
好ましくは、ヘアドライヤーは、本体を通って延びる流体流路を含む。流体流路は、好ましくは、第１の流体入口から第１の流体出口まで延びる。好ましくは、流体流路は、流体入口を含み、流体流路の流体入口は、本体に配置される。流体流路は、本体を直線状に通ることが好ましい。
【００２１】
２つ流路の具備は、各流路を貫流する流体がヘアドライヤー内で異なる方法で処理されることを可能にする。
【００２２】
流体は、主流体流路の流体出口から放出される流体により、流体流路を通して引き込まれる。この実施形態において、ファンアセンブリは、ヘアドライヤーを通る流体流れの一部、約半分を処理するのみであるので、ダクトのハンドル部分は、快適な保持のために満足できる直径にすることができる。
【００２３】
流体流路の流体流れに作用するための手段は、第１の流路の流体、すなわち、取り込まれた流体に間接的に作用することが好ましい。従って、第１の流体流路は、加熱器と熱的に連絡又は隣接し、主流体流路は、加熱器を通って延びる。同様に、ファン及びモータ（ファンアセンブリ）は、主流体流路の流体を直接的に処理し又はこれに作用し、流体流路の流体は、ファンアセンブリの作用によりヘアドライヤーに取り込まれるので間接的に作用する。
【００２４】
ヘアドライヤーを通して部分的に引き込まれる及び部分的に取り込まれる流体流れの具備は、以下のいくつかの理由により有利であり、その理由とは、引き込まれる流体がより少ないのでファンアセンブリのモータは小さくかつより軽量にすることができ、ファンを通る流れがより少ないのでファンアセンブリによって生成されるノイズは低減可能であり、これは、モータ及び／又は加熱器がヘアドライヤーを通る流れの一部を処理するのみであるので、より小さく及び／又はよりコンパクトなヘアドライヤー及び使用する電力がより少ないヘアドライヤーに帰着可能なことである。
【００２５】
理想的には、流体流れに作用するための手段は、第１の流体流路の流体に間接的に作用し、主流路の流体に直接的に作用する。入口端における２つの流路の具備は、ヘアドライヤーを貫流する流体流れの一部のみが処理されること、すなわち、直接加熱されること又はファンを通じて引き込まれることが必要であることを意味する。これは、ファンを通る空気流がより少なくなることにつながり、それは、モータ及び／又は加熱器がヘアドライヤーを通る流れの一部を処理するのみであるので、より静かなヘアドライヤー、より軽いヘアドライヤー、より小さく及び／又はよりコンパクトなヘアドライヤー、及び使用電力がより少ないヘアドライヤーのうちの１つ又はそれよりも多くをもたらす。例えば、ファン及びモータは、より小さくすることができる。
【００２６】
これは、ファンアセンブリが本体から出る流体の一部のみを処理し、本体を通って延びる流体の残った部分は、ファンアセンブリにより処理されることなく本体を通って延びる第１の流体流路を通り、本体を貫流することを意味する。従って、引き込まれた又は処理された流れは、取り込まれた空気により増強又は補強される。ファンアセンブリが流れの一部を処理するのみであるヘアドライヤーの具備は、以下のいくつかの理由により有利であり、その理由とは、引き込まれる流体がより少ないのでファンアセンブリのモータは小さくかつより軽量にすることができ、ファンを通る流れがより少ないのでファンアセンブリによって生成されるノイズは低減可能であり、これは、モータ及び／又は加熱器がヘアドライヤーを通る流れの一部を処理するのみであるので、より小さく及び／又はよりコンパクトなヘアドライヤー及び使用する電力がより少ないヘアドライヤーに帰着可能なことである。
【００２７】
ヘアドライヤーは、流体増幅器を含むと考えることができ、それによってプロセッサ（ファンアセンブリ及び／又は加熱器）により処理された流体は、取り込まれた流れにより増幅される。
【００２８】
ヘアドライヤーのノイズは、長い流体流路、コイル状の／ループ状の／湾曲した／ｓ字状の／ジグザグの流体流路及び周波数緩和ライニング材料を有することにより低減される。しかし、これらの特徴の使用は、例えば、流れを抑制する可能性がある流体流路での抵抗のようないくらかの不具合を導入し、電気器具の大きさが増大する。これらの不具合を是正するために、部分的に引き込まれかつ部分的に取り込まれた流れを使用し、流れの約半分を処理するのみであるファンが使用される。
【００２９】
好ましくは、形成されたダクトを通って流れる全ての流体は、ファンアセンブリにより処理される。
【００３０】
好ましくは、流体流路は本体を通って延びるボアにより形成される。
【００３１】
ボアは、ヘヤドライヤーの本体の外部壁であることが好ましい。好ましくは、ボアは、ヘアドライヤー本体内にあり、それは、流体がそれに沿って取り込まれる外面を形成する。ボアは本体の内側にあり、本体を通って延びる孔を形成する。
【００３２】
従って、流体流路は、主流体流路に入れ子にされるか又は組み込まれている。主流体流路は、流体流路と同心であっても、同心でなくてもよい。
【００３３】
好ましくは、ボアは少なくとも部分的に流体出口を形成する。
【００３４】
流体流路は、好ましくは、形状が実質的に円形であり、代替的に、それらは、楕円形、長円形、矩形、又は正方形である。実際、各流路は、形状又は構成が異なってもよい。
【００３５】
好ましくは、加熱器が設けられ、加熱器は本体に配置される。好ましくは、ボアは加熱器を取り囲む。より好ましくは、ボアは、加熱器を取り囲む外部壁である。何かがヘアドライヤーに挿入されても、それは、加熱器に直接接触できない。加熱器への直接的な視線はない。孔の周囲は、本体ダクトにより形成される。ボアは、単品であり、又は一緒になって第１の流体流路を形成する２つ又はそれよりも多くの部品を含む。
【００３６】
好ましくは、加熱器は主流体流路に配置される。好ましくは、主流体流路は、入口部分及び出口部分を含み、加熱器は出口部分に配置される。好ましくは、加熱器の形状は、環状である。加熱器の形状は、管状であることが好ましい。
【００３７】
本体内で、出口部分は、入口部分から隔離されることが好ましい。
【００３８】
好ましくは、流体流路は、ユーザがアクセス可能である。
【００３９】
本発明はまた、加熱器が流体入口からアクセス不能なヘアドライヤーを提供する。好ましくは、加熱器は、第１の流体入口からアクセス不能である。
【００４０】
好ましくは、加熱器出口は、少なくとも２０ｍｍ、好ましくは３０ｍｍ、より好ましくは４０ｍｍ、好ましくは５０ｍｍ、最も好ましくは少なくとも５６ｍｍ、ヘアドライヤーの本体の入口端及び／又は出口端から離れている。
【００４１】
入口及び／又は出口からアクセス不能な加熱器の具備は、安全面から有用である。何かが電気器具に挿入されても、それは、加熱器に直接接触することはできない。アクセス不能な加熱器はまた、入口及び／又は出口から見通せない加熱器である。
【００４２】
ファンアセンブリの上流にある流路及び主流路は、加熱器の近くで主流路に関するヒートシンク又は熱交換器として作用する。それはまた、本体を取って流れる全ての流体は、能動的に又は受動的に加熱されることをもたらす。
【００４３】
好ましくは、ハンドルは、第１のハンドル部分及び第２のハンドル部分を含み、流体は各ハンドル部分を通って流れる。好ましくは、第１のハンドル部分は、第２のハンドル部分ら離れている。
【００４４】
好ましくは、主流体流路の流体出口は、流体を流体流路へ放出するように構成される。主流体流路の流体出口は、流体流路の回りに延びることが好ましい。
【００４５】
流体流路は、流体流路に対して環状とすることができる。好ましくは、流体流路の流体出口は環状である。
【００４６】
流体流路は第１の流体出口を含み、第１の流体流路はヘアドライヤーから流体を放出するように構成されることが好ましい。
【００４７】
好ましくは、流体流路はヘアドライヤー内で隔離される。
【００４８】
第１の流体出口及び流体出口の両方は、ヘアドライヤーから流体を放出するように構成されることが好ましい。第１の流体出口及び流体出口は同一平面上にあることが好ましい。
【００４９】
好ましくは、流体は、流体流路の流体出口及び主流体流路の流体出口の各々を通してヘアドライヤーから放出される。
【００５０】
好ましくは、流体流路は、ヘアドライヤー内で併合する。好ましくは、主流体流路は、流体を流体流路内へ放出するように配列された流体出口を含む。第１の及び主流体流路は本体内で結合することは、結合は主流体流路からの熱い流体と流体流路からの取り込まれた流体との均等な混合を可能にするので好ましい。好ましくは、流体流路は、ヘアドライヤー内で併合する。
【００５１】
本発明はまた、ヘアドライヤーの外部壁により少なくとも部分的に形成された流体チャンバを含み、チャンバは、加熱器と外部壁の間に熱的に絶縁する障壁を提供するように構成されたヘアドライヤーを提供する。
【００５２】
好ましくは、ヘアドライヤーは、本体と、本体に連結されたハンドルとを含み、チャンバは本体内に配置される。
【００５３】
好ましくは、本体は、ボア又は流体がそこを通ってヘアドライヤーを流れるボアを形成する管状壁を含み、流体チャンバは、外部壁と管状壁の間に配置される。好ましくは、流体チャンバは、ボアの回りに延びる。
【００５４】
流れの約半分が加熱器により処理される、すなわち、加熱器を通過して加熱器で直接加熱されるという事実によって、加熱器は、損失がより少なくなり、かつそれを通る流れがより少なくなり、よりコンパクトにすることができる。
【００５５】
好ましくは、ヘアドライヤーの出口から流れる流体の約半分がモータを通じて引き込まれる。ヘアドライヤーの出口から出る流体の残った部分は、処理される流体により取り込まれ又は誘引される。取り込まれた流体に対する引き込み流体の約５０％の割合は、必須ではなく、より少ないこと又はより多いことができ、相対的な流体流量は、ダクト通路内での各流路に関する損失及び構成、例えば、ダクト通路の直径及び断面積の関数である。
【００５６】
従来のヘアドライヤーは、流体を管内に引き込むように、ファンを有する開いた管が必須である。これは、大きなしかも遅いファンを使用しなければヘアドライヤーを騒がしくするが、これは、次に大きなモータが必要になり、それは、重量を増加させる。本体を通って延びる長い流体流路及びダクト配列の具備は、発生するノイズを低減し、湾曲した、ジグザグのｓ字状の又はループ状の流体流路の具備（２つの本体部分及びそれらの間のダクト形成によって提供される）は、電気器具が発生するノイズを更に低減する。
【００５７】
ダクトの一部分は、好ましくは、本体の一部を形成し、すなわち、ダクトは、本体に直線状に開いていない。本体は、好ましくは、ダクトと本体との結合部の回りが材料でライニングされる。
【００５８】
ヘアドライヤーを貫流する流体の一部を処理するファンアセンブリを有し、部分的に引き込まれかつ部分的に取り込まれる流体を有する更に別の利点は、処理された流体がそこを貫流可能なダクトは、比較的小さな直径にすることができることである。例えば、本体から出る約２５リットル／秒の流出に関して、約１０から１２リットル／秒がダクトを通り、この流れは、約２５メートル／秒の最大流速を有する。形成されたダクトは、全ての流体の処理に必要とされるよりも小さな直径を有するので、主流体流路の流体を通じて発生するノイズは、直径がより大きいダクトに関するよりも周波数のより広範囲にわたって有効に沈静される。従って、空気伝播ノイズは、より高い周波数へ緩和される。この理由は、波長の約半分よりも小さいダクト直径が平面波挙動を促進するからである。
【００５９】
２つの流体流路の一方を濾過するためにフィルタを設けることが好ましい。好ましくは、フィルタは、主流体流路を濾過する。これは、本体入口の全体を覆うよりも、使用するフィルタ材料をより少なくすることができる利点を有する。更に、それは、フィルタ材料により遮蔽されない、ヘアドライヤーの中心開口を通る視線を提供する。フィルタは、流体がファンアセンブリに流入する前に主流体流路を横切って配置された、グリル及びメッシュ材料の一方又は両方を含む。
【００６０】
好ましくは、フィルタは、ファンユニットの上流に配置される。ファンユニットは、モータと、モータの上流に配置されたフィルタとを含む。従って、フィルタは、流体をそれがモータに到達する前に、好ましくは、流体がファンユニット、すなわち、ファン及びモータに到達する前に濾過し、従って、フィルタは、モータ前フィルタである。これは、フィルタが、モータに有害な異物の流体流路への進入からモータを保護することを意味し、異物の例は、毛髪、ほこり、及びファンの作用により引き込まれる場合があるそれ以外の軽量の異物である。
【００６１】
好ましくは、フィルタは、加熱器の上流に配置される。
【００６２】
ファンユニットは、流路入口を通して流体を主流体流路に引き込むものである。
【００６３】
好ましくは、主流体流路は、入口部分及び出口部分を含み、加熱器は、出口部分に配置される。
【００６４】
好ましくは、本体内で、出口部分は少なくとも１つの壁により入口部分から隔離される。
【００６５】
好ましくは、入口及び出口の１つ又はそれよりも多くは、ヘアドライヤーを格納するために使用することができる。例えば、内側開口部は、必要に応じて保管又は取り出しの便宜のためにフック又はくぎのような保持器上に配置することができる。
【００６６】
好ましくは、各ハンドル部分は、円形の断面を有する。各ハンドル部分は、非円形の断面を有することが好ましい。好ましくは、各ハンドルは、断面においてｎ重回転対称を有し、ここでｎは２又はそれよりも大きい整数である。各ハンドル部分は、楕円形の断面を有することが好ましい。
【００６７】
好ましくは、各ハンドル部分の断面は、長径及び短径を有し、第１のハンドル部分の長径は、第２のハンドル部分の長径に対して角度的にオフセットしている。
【００６８】
第１のハンドル部分の長径は、第２のハンドル部分の長径に対して９０°オフセットしていることが好ましい。
【００６９】
好ましくは、ハンドル手段は、流体をファンユニットまで運ぶ第１のダクトを含む第１のハンドル部分、及び流体をファンユニットから遠ざかるように運ぶ第２のダクトを含む第２のハンドル部分を含む。
【００７０】
２つの流体流路の具備は、流体が各流路を通って流れてヘアドライヤー内で異なる方法で処理されることを可能にする。
【００７１】
好ましくは、本体は、第１の外部壁と、第１の外部壁の回りに延びる第２の外部壁とを含み、第１の外部壁は、本体を通って延びるボアを形成し、流体流路は、ボアを通って延びる。
【００７２】
本発明の更に別の態様は、流体が電気器具に入ることを許す流体入口を有する本体、流体出口、材料でライニングされたダクト、及び流体入口から流体出口まで延びダクトを通る主流体流路を含む手持ち式電気器具を提供する。
【００７３】
また、流体がヘアドライヤーに入ることを許す流体入口を有する本体、流体出口、材料でライニングされたダクト、及び流体入口から流体出口まで延びダクトを通る主流体流路を含むヘアドライヤーが開示される。
【００７４】
更に別の態様は、本体、ファンユニット、及び流体を本体まで運ぶためのダクトを含み、ダクトが、本体から遠いダクトの端部又はその近くに配置される流体入口を含み、ファンユニットが、ダクト内で入口と本体の間に配置され、ダクトの一部分が、材料でライニングされる手持ち式電気器具を提供する。
【００７５】
以下、添付図面を参照して１つの例示として本発明を説明する。
【図面の簡単な説明】
【００７６】
【図１】本発明による電気器具の後端斜視図である。
【図２】本発明による電気器具の前端斜視図である。
【図３】本発明による電気器具の側面図である。
【図４】本発明による電気器具の上面図である。
【図５ａ】図４のＪ−Ｊ線矢視断面図である。
【図５ｂ】図４のＪ−Ｊ線矢視断面図である。
【図５ｃ】図５ａの領域Ｐの拡大図である。
【図６】図３のＫ−Ｋ線矢視断面図である。
【図７】図３のＬ−Ｌ線矢視断面図である。
【図８】図４のＭ−Ｍ線矢視断面図である。
【図９】図４のＨ−Ｈ線矢視３次元断面図である。
【図１０】本発明による第２の電気器具の側面図である。
【図１１】図１０のＮ−Ｎ線矢視断面図である。
【図１２】本発明による電気器具の本体の断面図である。
【図１３】本発明による更に別の電気器具の本体の断面図である。
【図１４】本発明による別の電気器具の本体の断面図である。
【図１５】本発明による更に別の電気器具の本体の断面図である。
【図１６】本発明による電気器具の本体の断面図である。
【図１７】図１６の電気器具の本体の代替的な断面図である。
【図１８】本発明による電気器具の本体の断面図である。
【図１９】図１８の電気器具の本体の代替的な断面図である。
【図２０】本発明による更に別の電気器具の後端斜視図である。
【図２１】本発明による代替的な電気器具の後端斜視図である。
【図２２ａ】図２１に示す電気器具の後端図である。
【図２２ｂ】図２１に示す電気器具の後端図である。
【図２３】別の電気器具の断面図である。
【図２４ａ−ｂ】図２３に示す電気器具の後端図である。
【図２５】電気器具の断面図である。
【図２６】別の電気器具の断面図である。
【図２７】別の電気器具の断面図である。
【図２８】本発明による電気器具の断面図である。
【図２９】図２８のＴ−Ｔ線矢視断面図である。
【図３０】本発明による１ハンドル２本体式電気器具の３次元断面図である。
【図３１】図３０の電気器具を通る断面図である。
【図３２】本発明による１ハンドル式電気器具の３次元断面図である。
【図３３】図３２の電気器具を通る断面図である。
【発明を実施するための形態】
【００７７】
図１から図４は、電気器具により流体流路２０を形成する第１の本体１２と、第１の本体１２から第２の本体１６まで延びる１対のダクト１４とを含む電気器具１０の様々な図である。流体は、電気器具を通り入口又は上流端から出口又は下流端へ流れる。
【００７８】
図５ａ、図５ｂ、図５ｃ、及び図６を参照すると、流体流路２０は、本体１２の後端１２ａの流体吸入口２０ａと、本体１２の前端１２ｂの流体流れ出口２０ｂとを有する。従って、流体は、本体１２の全長に沿って流通可能である。流体流路２０は、本体１２に関する中心の流路であり、本体１２の長さの少なくとも一部に関して、流体流路は、管状のハウジング１８によって取り囲まれかつ形成される。管状ハウジング１８は、広くて、好ましくは実質的に円形の断面を有するように通常はボア、パイプ、又は導管であるが、それは長円形、正方形、矩形、又は他の形状とすることができる。第１の本体は、形状が管状である。
【００７９】
特に、図６、図８、及び図９を参照して、以下に主流体流路３０が説明される。主流体流路３０は、本体１２の流体吸入口１２ａで流体流路２０に対してほぼ環状である。この特定的な実施形態において、主流体流路３０は、本体１２の外側壁１１２の内側皮１１２ａに沿って第１の階段部分を下方に通り、ダクト１４ａを下降し、そこから第２の本体１６を通り、他方のダクト１４ｂを上昇して本体１２へ戻ると共に主流体流路４０の第２の階段部分又は出口部分へ入る。主流路４０の出口部分は、流体流路２０に対してほぼ環状であり、本体１２内で主流体流路の第１の階段と流体流路の間に入れ子にされる。従って、本体１２の長さの少なくとも一部に関して、３つの階段状流路２０、３０、４０がある。主流体流路３０は、入口端、ループ、及び出口端を有する。
【００８０】
本体１２の入口端１２ａには、流体がそこを通って流体流路２０へ入る第１の入口２０ａと、流体がそこを通って主流体流路３０へ入る第２の入口３０ａとに分割された単一の開口部がある。この実施形態において、第１の入口及び第２の流体入口は、同一平面にあり、ボア１８により２つの入口に分割される。
【００８１】
第２の階段部分は、第１の階段部分の下流に配置され、これらの階段部分は、直列に配置される。この例において、流体は、階段部分を通って実質的に同じ方向へ流れる。第１の階段部分は、内側管状壁４２及び４４と、内側壁間を連結する環状壁４８とにより第２の階段部分から隔離される。第１の及び第２の階段部分の両方は環状であり、壁部１１２ａ及び４４により形成される第１の階段環状部分は、壁部４４及び４２により形成される第２の環状階段部分の回りに延びる。
【００８２】
第２の本体１６は、ファンとファンを駆動するモータとを含むファンユニット１６０を収容している。ファンユニット１６０へ、電気ケーブル１８及び内部の電子機器を通じて電力が供給される。ケーブル１８は、第２の本体１６へ接続され、その末端部に標準の家庭用プラグ（図示しない）を有する。従って、主流体流路３０を貫流する流体は、ファンユニット１６０の作用により入口部分へ引き込まれる。主流体流路３０は、本体１２へ戻ると、本体の管状ハウジング１８の外部かつ外側壁１１２の内部に配置された本体の２つの内側管状壁部４２、４４間を流れる主流体流路の出口部分又は第２の階段部分４０になる。主流体流路４０の出口部分で、本体の２つの内側壁部４２、４４間に少なくとも部分的に環状の加熱器４６が収容され、加熱器は、そこを貫流する流体を加熱可能である。従って、この実施形態において、第２の階段又は主流体流路４０の出口部分は、直接加熱される流れである。
【００８３】
第２の本体１６は、形状が管状であり、第１の及び第２の本体の縦軸線は、平行である。流体流路２０は、本体１２を通って軸線方向に延びる。主流体流路４０の出口部分は、本体１２を通って軸線方向に延びて、流体流路２０と、主流体流路４０の部分内に配置され主流体流路を貫流する流体を加熱する加熱器４６と取り囲み、加熱器４６は軸線方向に延びる長さを有する。
【００８４】
管状ハウジング１８はまた、本体１２を通って延びるボアであり、第１の流体入口２０ａと第１の流体出口２０ｂの間を延びる導管であり、本体の内面でもある本体１２の第１の外部面である。
【００８５】
加熱器４６は、好ましくは、環状であり、ヘアドライヤーで一般的に使用される従来の形式の加熱器とすることができ、すなわち、その回りにニクロム線のような加熱要素が巻かれたマイカのような耐熱材料の形成体を含む。形成体は、要素に足場をもたらし、効率的な加熱のために流体が要素の回りかつ要素間を通るのを可能にしている。
【００８６】
ファンユニットが作動すると、流体は、ファンユニット１６０の直接的な作用により、流体入口１２ａで主流体流路３０内へ引き込まれる。次に、この流体は、主流体流路の入口部分を通り、本体１２の外側壁１１２の内側１１２ａに沿い、第１のダクト１４ａを下降し、ファンユニット１６０を通り、第２のダクト１４ｂを通って本体１２の主流体流路４０の出口部分へ戻る。主流体流れ４０の出口部分は、加熱器４６の回りを通り、加熱器がオンに切り換えられると、主流体流路４０の出口部分の流体は、加熱器４６により加熱される。主流体流路４０の出口部分の流体は、加熱器４６を通過すると、電気器具の本体１２の前端１２ｂから出る。
【００８７】
流体流れは、主流体流路により全体的に円運動であり、ハンドル手段は、全体的にＵ字形状であり、すなわち、本体は第１の方向に沿い、一方のダクトは第２の方向に下降し、第２の本体は第３の方向に沿い、第２のダクトは第１のダクトと反対方向の第４方向に上昇する。ハンドルは、離間している。
【００８８】
ファンユニット１６０がオンに切り換えられると、空気は、主流体流路３０の吸入口３０ａへ引き込まれ、主流体流路４０の出口部分を通り、本体１２の流体流出口１２ｂから外へ出る。本体の一端１２ａで引き込まれ、本体の他端１２ｂで外へ出る空気のこの作用は、流体を取り込み又は誘引して、流体流路２０に沿って流す。従って、ファンユニットにより能動的に引き込まれる１つの流体流れ（主流体流路３０）と、ファンユニット１６０の作用が引き起こす流体の動きによって形成される別の流体流れとがある。これは、ファンユニット１６０が、本体１２から出た流体の一部を処理し、本体を通って延びる流体の残った部分が、ファンユニットにより処理されることなく流体流路２０を通り、本体１２を貫流することを意味する。
【００８９】
流体流路２０を貫流する取り込まれた流体は、管状ハウジングの下流端１８ｂから出て、本体１２の流体出口１２ｂの近くで、主流体流路４０の出口部分から出る流体と結合する。従って、引き込まれた流れは、取り込まれた流れにより増強又は補強される。第２の流体出口は、環状であり、かつ流体流路に出るので、流体流路は、ヘアドライヤー内で併合する。
【００９０】
本体１２の流体入口１２ａにフィルタ５０が設けられる。このフィルタ５０は、毛髪及びほこり粒子のような異物が、少なくとも主流体流路２０に入ること、主流体流路２０に沿ってファンユニット１６０へ進むこと、並びに潜在的にファンユニットを損傷させ及び／又はファンユニット１６０の寿命を縮めることを防止するために設けられる。
【００９１】
フィルタ５０は、好ましくは、主流体流路３０の流体吸入口のみを覆う環状フィルタであり、従って、主流体流路３０を貫流する流体のみがフィルタ５０で濾過される。明らかなように、これは、流体吸入口１２ａの断面積のほぼ半分のみが濾過されるので、従来の電気器具と比較して、必要とされるフィルタ材料の量が減少する利点を有し、濾過された及び濾過されない流れの正確な比率は、第１及び主流体流路２０、３０の相対的な断面積と、本体１２の流体吸入端の設計に起因するあらゆる漏斗作用とに依存する。別の利点は、本体１２の中心の又は第１の流体流路２０を通る視線がもたらされ、従って、電気器具のユーザは、電気器具の使用時にそれを見通し可能であることである。
【００９２】
加えて、フィルタ、すなわち、環状のフィルタ５０が設けられない場合、管状ハウジングの内面１００は電気器具の外側から接近し易い。実際、ボア又は管状ハウジングの内面１００は、電気器具１０を通る穴（流体流路２０）を形成し、管状ハウジングの内面１００は、電気器具１０の内側壁及び第１の外部壁の両方である。
【００９３】
ダクト１４は、電気器具の回りに流体流れを運ぶために使用される。更に、ダクト１４ａ、１４ｂの一方又は両方は、更に、ユーザが電気器具の使用中に保持するハンドルを含む。ダクト１４ａ、１４ｂは、ハンドルとして作用するダクトの一部上に把持可能な部分を含むことができ、ユーザが電気器具を保持するのを助ける。ダクトは、本体１２の前端１２ｂの近くに配置された一方のダクト１４ａと、本体１２の後端１２ａの近くに配置された他方のダクト１４ｂとに離される。
【００９４】
ハンドルにより分離された２つの本体部の使用は、電気器具の均衡がとれることを意味し、この場合、加熱器は本体の１つの部分に設けられ、ファンユニットは第２の本体部に設けられ、従って、それらの重量が相殺される。
【００９５】
図７を参照すると、この実施形態において、ダクト１４は断面がほぼ円形であり、好ましくは、材料１４０でライニングされる。この材料は、例えば、発泡体又はフェルトであり、例えば、以下のものすなわち、主流体流れからのノイズを軽減させ、ファンユニット１６０からの振動を軽減させ、又は電気器具の流路流システム内に熱を保持するインシュレータとしてのうちの１つ又はそれよりも多くに関して使用される。材料の吸収特性は、問題となっている特性を少なくとも軽減し、好ましくは、例えば、物質密度及びライニング厚みにより、具体的に電気器具に合わせてもよい。材料は、更に、電気器具の共振周波数に基づいて選択可能である。材料は、更に、電気器具の共振周波数に基づいて選択又は調整可能である。このような方法で、電気器具は全体的に静められ、又は操作され、ユーザに対してノイズ特性を改善する。
【００９６】
ライニング材料１４０は、好ましくは、ライニングの上流１４０ａ及び下流１４０ｂ端の一方又は両方で広げられ、丸められ、又は面取りされる。これは、ライニングされた部分への／からの流れの乱れがより少ないので、ダクトの圧力損失を減少可能であり、発生するノイズの減少を補助可能である。
【００９７】
ここに説明した発明の重要な特徴は、ファンユニット１６０が、電気器具１０の流体流出口２０ｂから流出する流体の一部、好ましくは、約半分のみを処理するという事実を含むことであり、例えば、電気器具を通る合計流体流れは、２３リットル／秒であり、約１１リットル／秒がモータを通じて引き込まれる。取り込まれた流体に対する引き込み流体の約５０％の割合は必須ではなく、より少ないこと又はより多いことができ、相対的な流体流量は、ダクト通路内での各流路に関する損失及び構成、例えば、ダクト通路の直径及び断面積の関数である。
【００９８】
１つ又はそれよりも多くの流体流路は、本体の１つ又はそれよりも多くの壁を絶縁するように使用可能であるので、電気器具１０における本体１２を通る階段状流路の使用はも有利である。主流体流路の入口部分及び流体流路は、主流体流路の出口部分、すなわち、本体の中心での流体に関するヒートシンク又は熱交換器として作用する。それはまた、本体を貫流する全ての流体は、能動的に又は受動的に加熱されることをもたらす。
【００９９】
ファンユニット１６０により処理され、又は引き込まれた流体は、主流体流路３０の入口部分を貫流し、また本体を通って延びる流路の少なくとも一部に関して、この流体は加熱器４６の外部にあるダクト又は導管を貫流し、すなわち、この主流体流路３０は、本体１２の加熱器４６と外側壁１１２の間にあり、従って、本体１２の外側壁１１２に関して移動する流体絶縁体を提供する。流体流れは、主流体流路３０の導管又はダクトを形成する壁４２、４４、１１２から熱を抽出するので、加熱器４６の近くを通る時に加熱される。この予め加熱された又は予め暖められた流体は、ファンを通じて引き込まれると、ダクト１４ｂを出て、主流体流路の出口部分又は加熱された流路４０に入る。従って、流体絶縁体はその後に加熱器４６により加熱されるので、システムから大気への熱エネルギの損失がより少なくなる。外側本体１１２へ失われた熱は、回復され、従って、システムへ入れられる熱エネルギの高い割合は、流れの主な又は第２の階段４０に残る。
【０１００】
図１０及び図１１に第２の実施形態が説明される。この実施形態において、電気器具２００は、断面が長円形で互いに平行に延びるダクト１１４を有する。円形の代わりに長円形を使用すると、第１に、ダクトがハンドルとして使用される場合に、長円形は円形のグリップよりも曲げた指により作られた形状により正確に似ているので、ユーザがそれを把持し易い利点があり、第２に、長円形は、ダクト又はハンドルに方向性を与えるために使用可能である。この特徴は、第１のダクト／ハンドル１１４ａが第２のダクト／ハンドル１１４ｂに対して直角を成すように方向付けられた図１１に示されている。この方向性は、電気器具の使用をより容易にする。
【０１０１】
第３の利点は、把持可能なハンドルに関して、長円形は円形ハンドルよりもより大きな断面積を与え、より多い流体流れが長円形のハンドルを貫流可能であることを意味する。これは、作動している電気器具によって生成されるノイズ、電気器具により消費される電力、及び電気器具内の圧力又はダクト損失のうちの１つ又はそれよりも多くを軽減可能である。
【０１０２】
本体１２内のダクト形成のために様々な配列が可能であり、そのうちのいくつかが以下に説明される。図１２を参照すると、加熱器４６は、単一壁ハウジングである管状ハウジング１８の外面１８ａに直接支持される。管状ハウジング１８の内側に沿って流体流路２０を貫流する流体は、冷却作用をもたらし、また、それは、ハウジング１８から熱を抽出するので、僅かに加熱される。更に、主流路３０の入口部分に沿って流れる流体も、主流体流路３０の入口部分を主流体流路４０ａの加熱された出口部分から分離し、かつ主流体流路の入口部分及び出口部分を隔離する内側壁４４から熱を抽出する。従って、ファンユニットにより処理され、又は引き込まれる流体は、直接加熱される前に、ファンユニットにより受動的に予め暖められ又は加熱され、電気器具の本体１２の第２の外部又は外側壁１１２に関して冷却流を与える。
【０１０３】
図６は、管状ハウジング１８と主流体流路４０の出口部分の内側壁４２との間にダクトが形成された内側壁冷却液経路１１８を有し、冷却液経路１１８が、主流体流路の出口部分と平行で加熱器４６を含む主流体流路によって取り囲まれた主流体流路の第３の部分を生成する代替的な構成を示している。このダクト形成された内側壁冷却液経路１１８は、閉じた流路であり、すなわち、それは流体を流出しない。主流体流路３０へ引き込まれる流体の一部は、ダクト形成された内側壁流路１１８に沿って通り、加熱器４６と管状ハウジング１８の外側壁の間に流体絶縁体の層をもたらす。ダクト形成された内側壁冷却液経路１１８の流体を通じた伝導及び対流の組合せは、管状ハウジング１８に関する冷却効果をもたらす。主流体流路の第３の部分は、環状であり、第２の環状部分は、第３の部分の回りに延びかつ第３の部分と平行である。
【０１０４】
図１３は、ダクト形成された外側壁冷却流路２１２を有し、閉じたダクト形成された内側壁冷却液経路と組み合わせて主流体流路の出口部分と平行な主流体流路の第３の部分をもたらす配列を示している。これまで説明した実施形態において、本体１２に引き込まれる流体は、ダクトを下降し、取り込まれた流体を結合する前に主流体流路の出口部分を通って戻るようになっていた。その結果、流出端１２ｂに近い本体１２の部分は、加熱された流体と直接接触して熱くなるかも知れない。この加熱効果を軽減するために、ダクト形成された外側壁冷却流路２１２が設けられ、これは、主流体流路３０内に引き込まれた流体が二重壁の本体内にあるまま本体１２の流出端１２ｂに近づくことを可能にする。この例では、この外側壁冷却流路２１２は、閉じているので、ダクトの流体を通じた伝導及び対流の組合せにより冷却効果をもたらす。
【０１０５】
図１４は、管状ハウジング１８と主流体流路４０の出口部分の内側壁４２との間にある開いた又は流出されるダクト形成された内側壁冷却液経路２１８と組み合わせたダクト形成された外側壁冷却流路２１２を有する代替的な配列を示している。このダクト形成された内側壁冷却液経路２１８も、主流体流路３０内に配置されるので、引き込まれた流体の一部はダクトに沿って通るが、末端において、ダクト２２０は、流体流路２０を通る流体を取り込まれた空気ストリーム内へ流出される。この流出された及び取り込まれた流体の組合せは、次に、引き込まれた流体と結合し、本体１２の流出口から出る。使用中は、この冷却ダクト２１８を通る一定の流体流れがあるので、内側壁４２との熱交換に関して一定の流体が補充されることになる。
【０１０６】
図１５は、引き込まれた流体の一部を引き込まれた流路３０内へダクト１４ａでダクト形成３２０される前に加熱器４６と管状ハウジング１８との間で加熱器４６の直径方向内側に沿って流すダクト形成された内側壁冷却液経路３１８を有する代替的な配列を示している。これは、ダクト形成及び内側壁の配列が、電気器具の外側本体のみならず、流体入口端１２ａから接近し易い内側壁に冷却をもたらす利点を有する。従って、加熱器を冷却するのに使用される流体の全ては、その後、ファンユニット１６０を通って、主流体流路４０の出口部分へ引き込まれて、加熱器４６により加熱される。
【０１０７】
図１６及び図１７は、代替的な内部のダクト形成配列を有する電気器具を示している。この実施形態において、加熱器４６は、主流体流路４０の出口部分を形成する壁４４、１８から離されて、加熱器の回りに及び加熱器を通る流体流れをもたらす。内側壁又は支持体１４２がスペーサ２４２により管状ハウジング１８から離して設けられるので、第３の又は加熱された流路４０に入る流体は、加熱器と内側壁又は支持体４４の間において、加熱器の外側縁の回り及び壁１４２により加熱器４６と管状ハウジング１８の間に形成される流路４０ａで加熱器４６を貫流することができ、内側壁又は支持体４４は、第２の流体流路３０及び第３の流体流路４０を分割する。加熱器の下流端で、壁１４２端は、第１及び主流体流路が管状ハウジング１８の下流端１８ｂで結合されるよりも前に２つの流体流路４０及び４０ａが再結合されることを可能にする。
【０１０８】
加熱器４６と管状ハウジング１８の間に内側壁１４２で形成される空隙を有することにより、管状ハウジングは加熱器で直接加熱されないので、管状ハウジングの内面は比較的冷たいままである。更に、流体が管状ハウジングから熱を抽出するので、管状ハウジング１８により形成される流体流路２０を通る取り込まれた流体が、管状ハウジング１８を冷却する効果がある。壁１４２は、中実な壁である必要はなく、流体が２つの流体流路４０と流体流路４０ａとの間を流れることを可能にするスロット又は孔を含むことができる。
【０１０９】
図１８及び図１９は、取り込まれた及び引き込まれた流体が、本体１２から出る前に出口端１２ｂで結合しない電気器具を示している。
【０１１０】
主流体流路２４０の出口部分の内側ダクト形成は、本発明の他の実施形態に関して説明したもののうちのいずれか１つとすることができる。この例では、主流体流路２４０の出口部分は、図６に関して説明した構成、すなわち、管状ハウジング１８と加熱器４６を含む主流体流路２４０の出口部分の内側壁４２との間のダクト形成された内側壁冷却液経路１１８の構成に類似している。このダクト形成された内側壁冷却液経路１１８は、閉じた流路であり、すなわち、それは流体を流出しない。主流体流路２３０へ引き込まれた流体の一部は、ダクト形成された内側壁１１８に沿って通り、加熱器４６と管状ハウジング２１８の外側壁の間に流体絶縁体の層をもたらす。
【０１１１】
ここに説明された他の例では、ボア又は管状ハウジング２１８は、本体１２の入口端１２ａで始まる。しかし、管状ハウジング２１８は本体１２の全長にわたって本体の出口端１２ｂまで続く。従って、主流体流路又は加熱された流体流路２４０の出口部分の環状の流出口２４２は、本体の出口端１２ｂに設けられる。環状の流出口２４２は、流出流路の出口の回りに延びる。従って、取り込まれた及び引き込まれた流体は、電気器具の本体内では結合せず、それらは、電気器具の流出口又は下流出口で結合する。これは、環状であり、かつ流体流路２０から出る取り込んで部分的にのみ加熱された流れを取り囲む流出において加熱された流体の高速噴流又は自由噴流をもたらす。
【０１１２】
主流体流路２３０は、他の例に関して説明したものと同様であり、ダクト形成された外側壁冷却流路２１２を有し、本体１２の外面に本体の流出端１２ｂに向う冷却をもたらす。
【０１１３】
図２０は、主流体流路３０を覆うグリルフィルタのようなフィルタ３５０を有し、中心の流体流路（流体流路２０）の全てでなければ大部分が開いて濾過されていないままの電気器具３００を示している。フィルタ３５０は、更に、フィルタのグリル間に配置されたメッシュ材料を含む。
【０１１４】
図２１、図２２ａ、及び図２２ｂは、長円形の本体６２を有する電気器具を示している。流体流路７０は、長円形断面６８を有する管状ハウジングにより形成される。環状かつ長円形とされた主流体流路８０は、本体６２の入口部分６２ａで流体流路７０を取り囲む。以前に説明したように、第２の本体６４に配置されたファンユニット１６０の作用で、流体は、主流体流路８０に引き込まれ、第１のダクト７４ａを下降して第２の本体６６に入る。次に、流体は、第２のダクト７４ｂを貫流して主流体流路９０の出口部分へ流れる。主流体流路９０のこの出口部分も、断面が長円形で、長円形の加熱器９６を含む。
【０１１５】
この例では、主流体流路の第１の部分、第２の部分、及び出口部分のそれぞれ長軸Ｘ−Ｘ及び短軸Ｙ−Ｙは、全て同じ中心Ｚを有し、すなわち、同心であるが、これは必須ではない。更に、第２の本体６６はほぼ円形として示されるが、それは、第１の本体６２の外形と適合することができる。ダクト７４ａ及び７４ｂは、ほぼ円形として示されるが、長円形とすることができ、ダクト７４ａ、７４ｂの一方又は両方は、電気器具のユーザが把持することが可能なハンドルを含むことができる。
【０１１６】
図２３、図２４ａ、及び図２４ｂは、同心でない実質的に円形の流路を含む電気器具２５０を示している。
【０１１７】
電気器具の本体２７２内で、第１の流体流路２７０及び第３の流体流路２９０は同心であり、すなわち、一般的な中心２９２を有する。従って、加熱器２９６も、主流体流路２９０の出口部分内で実質的に同心であり、これは、主流体流路の出口部分の回りで流体が均等に加熱されるので、本体２７２の流出端２７２ａで本体を出る流体内に熱い部分がない利点を有する。第１の流体流路２７０は、管状ハウジング２７４で形成され、第１の流体流路２７０及び第３の流体流路２９０は、内側壁又はダクト２９４内に取り囲まれている。内側壁２９４は、本体２７２の外側壁２６２に対して芯ずれしているので、本体２７２の外側壁２６２に対して非同心である。
【０１１８】
従って、外側壁２６２は、内側壁２９４の中心２９２からオフセットした中心２９８、並びに２７０、２７４、２９４、２９０、及び２９６を含む電気器具の特徴を有する。主流体流路２８０の流体入口にフィルタ２７８が設けられ、これは、本体２７２の外側壁２６２で形成される実質的に一定の外径を有するリング形状のフィルタである。フィルタの内面２７８ａは、管状ハウジング２７４で形成されるので、内径は、リングの回りで変動する。
【０１１９】
代替案として、内側壁２６８、２９４は、流路の一部に関してのみ、外側壁２６２に対して非同心である。例えば、主流体流路２８０が第３の流路２９０に入る領域で、中央の又は第３の流路２９０は、管状ハウジング２７４、加熱器２９６、及び外部壁２６２に対して非同心の壁２９４、２６８により形成される。換言すれば、ダクト流２９８が第３の流路２９０へ入る第３の流路２９０を形成する壁２６８、２９４は、非同心であり、流体流れの方向が変化する流体流れの空気力学を改善する。当業者は、いくつかの異なる構成が可能であることを認めるであろう。
【０１２０】
図２５は、電気器具を通る流体流路３６４を形成する第１の本体３６２と、第１の本体３６２から第２の本体３６８まで延びる１対のダクト３６６とを有する電気器具３６０を示している。流体は、入口又は上流端３６２ａから出口又は下流端３６２ｂへ電気器具を貫流する。
【０１２１】
流体流路３６４は、本体３６２の後端３６２ａの流体吸入口３６４ａと、本体３６２の前端３６２ｂの流体流出口３６４ｂとを有する。流体流路３６４は、本体３６２の中心流路であり、ほぼ管状のハウジング３７０によって取り囲まれかつ形成される。
【０１２２】
本体の流体入口端３６２ａに主流体流路３７２が設けられ、流体流路３６４に対してほぼ環状となっている。フィルタ３７４が、主流体流路３７２へ流入する流体を濾過するように設けられる。主流体流路３７２は第１の本体３６２へ入り、次に第１のダクト３６６ａを通って第２の本体３６８に至り、他方のダクト３６６ｂを上昇して本体３６２へ戻る。この実施形態において、主流体流路３７２の第１のダクト３６６ａが、本体の流体吸入口３６２ａに最も近いダクトである。従って、ダクトを通る流路は、以前の例とは反対になっている。
【０１２３】
第２の本体３６８はファンユニット３７４を収容し、流体は、ファンユニットの作用により主流体流路内へ引き込まれる。これは、流体を流体流路３６４へ誘引し又は取り込む。
【０１２４】
主流体流路３７２が第１の本体３６２へ戻る場合、流体チャンバ３７６が設けられる。チャンバの外側壁３７８は、第１の本体３６２の外側壁の一部である。外側壁３７８の直径方向内側に、加熱器３８２との流体連通を提供する孔があけられた内側壁３８０がある。加熱器３８２を貫流した後、加熱された流体は、管状ハウジング３７０の上流端３７０ｂで、流体流路３６４の取り込まれた流体と結合する。
【０１２５】
チャンバから加熱された流体の混合までの流路は、主流体流路の入口部分であり、従って、本体３６２の長さの一部に関して３つの階段状流路が設けられると考えることができる。チャンバ３７６内の流体は、外側壁３７８を冷却し、内側穿孔壁３８０からの熱放射により予熱される。従って、チャンバは、加熱器３８２と外部壁３６２の間に熱的に絶縁する障壁を提供する。チャンバ３７６は、加熱器３８２の周囲の回りに延びる。
【０１２６】
主流体流路の代替的な配列が図２６に示される。この配列では、チャンバ３７６は、第１の本体３６２の一部に沿って反対方向に又は流体流路３６４の取り込まれた流体の方向とは逆方向３８４に流体を強制的に流す中実の内側壁３８６を含む。主流体流路はジグザグの形になっている。流路の反対方向３８４は、向きを変えて本体の出口端３６２ｂに向けて流れ、加熱器３８８を貫流し、取り込んだ流体と管状ハウジング３７０の端３７０ｂで結合する。従って、チャンバ３７６からの流体は、第１の本体３６２の長さの中央のどこかで加熱器と遭遇する。
【０１２７】
図２７に、加熱された流体と取り込まれた流体との結合が、第１の本体３６２の下流端３６２ｂ又はその近くではなく第１の本体の中央で発生する別の配列が示される。チャンバは、中実の内側壁３９０を含み、また流体は、第２のダクト３６６ｂからチャンバ３７６内へ流れ、次に第１の本体３６２の一部に沿って、流体流路３６４の取り込まれた流体の方向とは反対方向３８４に流れる。加熱器３９２は、この反転流れ部分内に設けられる。流体は、加熱器３９２により加熱されると、内側ダクト形成３９６により向きが変えられ、本体の下流端３６２ｂと対面し、管状ハウジング３９４の入口部分の下流端３９４ｂで、流体流路３６４の取り込まれた流体と結合する。
【０１２８】
これらの実施形態において、チャンバ３７６は、２つの平行な部分を含み、平行な部分の第１のものは、流体チャンバ３７８ａを通って延び、平行な部分の第２のものは、加熱器３７８ｂを通って延びる。
【０１２９】
この実施形態において、流体流路を形成する管状ハウジング３９４は２つの部分３９４、３９４ａに分割される。２つの部分３９４、３９４ａの間の間隙は、管状ハウジング３９４の入口部分の下流端３９４ｂで、加熱された流体が取り込まれた流体と混合することを可能にしている。従って、２つの流体流路の混合は、加熱器３９２の下流端の回り又は第１の本体３６２の中央で発生する。２つの流体流路が混合された状態で、管状ハウジングの第２の部分３９４ａは、流体流れを本体３６２の出口端３６２ｂへ案内する。
【０１３０】
図２５から図２７の実施形態は、全て、二重壁本体内で、チャンバ３７６へ引き込まれた流体の一部を本体３６２の出口端３６２ｂへ又はその近くへ流すことを可能にするダクト形成された外側壁冷却通路３９８を含む。これは、ダクト３９８の流体を通じた伝導と対流との組合せによる冷却効果をもたらす。従って、チャンバは、事実上、ダクト形成された外側壁冷却流路３９８を通じて第１の流体出口３６４ｂの回りに延びる。
【０１３１】
図２８及び図２９は、本発明による代替的な電気器具６００を示している。この例において、電気器具を通る流体流路６２０を形成する第１の本体６１２と、第１の本体６１２から第２の本体６１６まで延びる１対のダクト６１４とがある。
【０１３２】
流体流路６２０は、本体６１２の後端６１２ａの流体吸入口６２０ａと、本体６１２の前端６１２ｂの流体流出口６２０ｂとを有する。従って、流体は、本体６１２の全長に沿って流れることができる。流体流路６２０は、本体６１２の中心流路であり、また、本体６１２の少なくとも一部に関して、流体流路は管状ハウジング６１８によって取り囲まれかつ形成される。管状ハウジング６１８は、全体的により長く、広く、好ましくは実質的に円形の断面を有するボア、パイプ、又は導管であるが、それは長円形、正方形、矩形、又は別の形状とすることができる。
【０１３３】
主流体流路６３０は、本体の後端６１２ａから離れて本体６１２に設けられた入口６３２を含む。この例では、入口６３２は、ほぼ環状であり、かつ複数の開口６３２ａを含む。開口６３２ａは、ほこり及び毛髪の進入に対するフィルタとして作用するように離されかつ大きさが形成される。主流体流路６３０は、電気器具の入口６３２から本体６１２へ流れ、そこから、ダクト６１４ａを下降し、第２の本体６１６を通り、他方のダクト６１４ｂを上昇して本体６１２へ戻ると共に、主流体流路６４０の第３の階段部分又は出口部分へ入る。主流体流路６４０の出口部分は、流体流路６２０に対してほぼ環状であり、本体６１２の長さの少なくとも一部に関して、第１の流体流路と主流体流路の間に入れ子にされる。従って、本体６１２の長さの少なくとも一部に関して、３つの階段状流路６２０、６３０、６４０がある。
【０１３４】
第２の本体６１６は、ファンとファンを駆動するモータとを含むファンユニット６６０を収容している。従って、主流体流路６３０を貫流する流体は、ファンユニット６６０の作用により引き込まれる。主流体流路６３０は、本体６１２へ戻ると、本体６１２の２つの内側壁６１８、６４４間を流れる主流体流路６４０の出口部分になる。本体の２つの内側壁６１８、６４４内に、主流体流路６４０の出口部分を貫流する流体を加熱可能な少なくとも部分的に環状の加熱器６４６が収容される。従って、この実施形態において、主流体流路６４０の第３の又は出口の部分は、直接加熱される流れである。
【０１３５】
加熱器６４６は、好ましくは、環状であり、内側ダクト６４２により管状ハウジング６１８からオフセットしている。主流体流路の出口部分は、加熱器６４０を通りかつその回りの第１の流路６３０と、内側壁６４２により加熱器６４６と管状ハウジング６１８との間に形成された流路６４０ａとを有する。
【０１３６】
ファンユニットが作動すると、流体は、ファンユニット６６０の直接的な作用により、入口６３２で主流体流路６３０内へ引き込まれる。次に、この流体は、入口６３２と内側壁６４４の間に形成された間隙の回り、すなわち、加熱器６４６を取り囲む内側壁の回りに流れ、第１のダクト６１４ａを下降し、ファンユニット６６０を通り、第２のダクト６１４ｂを通じて本体６１２の主流体流路６４０の出口部分へ戻る。主流体流路６４０の出口部分は、加熱器６４６の回りを通り、加熱器がオンに切り換えられると、主流体流路６４０の出口部分の流体は、加熱器６４６により加熱される。主流体流路６４０の出口部分の流体は、加熱器６４６を通ると、電気器具の本体６１２の前端６１２ｂから出る。
【０１３７】
ファンユニット６６０がオンに切り換えられると、空気は、主流体流路６３０の吸入口６３２へ引き込まれ、主流体流路６４０の出口部分を通り、本体６１２の流体流れ出口６１２ｂから外へ出る。本体に引き込まれかつ本体から外へ出る空気のこの作用は、流体を取り込み又は誘引して流体流路６２０に沿って流す。従って、ファンユニットにより能動的に引き込まれる１つの流体流れ（主流体流路６３０）と、ファンユニット６６０の作用が引き起こす流体の動きによって形成される別の流体流れとがある。これは、ファンユニット６６０は、本体６１２から出た流体の一部を処理し、本体を貫流する流体の残った部分は、ファンユニットにより処理されることなく流体流路６２０を通り、本体６１２を貫流することを意味する。
【０１３８】
流体流路６２０を貫流する取り込まれた流体は、管状ハウジングの下流端６１８ｂから出て、本体６１２の流体流出口６１２ｂの近くで主流体流路６４０の出口部分から出る流体と結合する。従って、引き込まれた流れは、取り込まれた流れにより増強又は補強される。更に、この取り込まれた流体は、移動する絶縁体、又は本体の後端６１２ａからアクセス可能な管状ハウジング６１８の冷却流として作用する。
【０１３９】
ダクト６１４は、電気器具の回りに流体流れを運ぶために使用される。更に、ダクト６１４ａ、６１４ｂの一方又は両方は、更に、電気器具の使用中にユーザが保持するハンドルを含む。ダクト６１４ａ、６１４ｂは、ハンドルとして作用する少なくともダクトの一部に、ユーザが電気器具を保持するのを助ける把持可能な部分を含むことができる。
【０１４０】
主流体流路６４０の出口部分は、壁６４４、６４４ａによって取り囲まれかつ形成されている。主流体流路の出口部分の一部を取り囲む壁は、本体の外側壁６４４ａであるが、加熱器６４６の領域を取り囲む壁は、内側壁６４４であり、本体の外側壁は主流体流路６３０の入口６３２である。従って、主流体流路６３０内に引き込まれる流体は、加熱器６４６及び主流体流路６４０の出口部分を取り囲む壁６４４、６４４ａのための冷却流をもたらす。加えて、これは、主流体流路６３０に沿って流れる流体が、ファンユニット６６０で処理される前に加熱器により予熱されて加熱器６４６で直接加熱されること、すなわち、加熱器により直接加熱される流体が、ファンユニット６６０により処理され、又は引き込まれる流体であることをもたらす。また、主流体流路６３０に沿って流れる流体は、本体６１２の外側壁６４４、６３２に関する移動する流体絶縁体として作用する。
【０１４１】
上述の全ての実施形態に関して、電気器具の一端又は他端における内側開口部は、電気器具を格納するために使用可能であり、例えば、必要に応じて保管又は取り出しの便宜のために内側開口部をフック又はくぎのような保持器に引っ掛ける。
【０１４２】
本出願に説明した全ての実施形態において、加熱器４６、９６、２９６、３８２、３８８、３９２、６４６、７４６、８４６は、電気器具の入口及び出口の１つ又はそれよりも多くからアクセス不能である。簡単化のために、図１２を参照すると、管状ハウジング１８は、本体１２の入口端１２ａで加熱器４６の内部面を取り囲み、従って、入口から入るあらゆる異物は、加熱器と直接接触しない。実際、ファンユニットがオンに切り換えられると、入口から入るばらばらのどれでも取り込まれた流体により引き込まれ、本体を通される。
【０１４３】
出口１２ｂでは、内部ダクト形成の構成に応じて、加熱器への小さく間接的な通路があっても良いが、管状ハウジング１８の下流端１８ｂは、加熱器４６よりも更に下流にあるので、挿入されたものは、加熱器への直接的な視線を持たず、例えば、子供の指が加熱器に届くよりもより薄くかつより長くすべきである。更に、電気器具がオンに切り換えられると、取り込まれた流体は反対に吹き出し、この端部１２ｂからの異物の意図しない進入は起こりそうもない。加熱器がオンにされると、管状ハウジングの下流端１８ｂは明らかに熱いが、加熱器ほど熱くはない。これは、安全面から有用である。電気器具に何かが挿入されても、それは、加熱器に直接接触することはできない。
【０１４４】
図３０及び図３１は、電気器具を貫通する流体流路７２０を形成する第１の本体７１２と、第１の本体７１２から第２の本体７１６まで延びるダクト７１４とを有する１ハンドル２本体式電気器具７００を示している。
【０１４５】
流体流路７２０は、本体７１２の後端７１２ａの流体吸入口７２０ａと、本体７１２の前端７１２ｂの流体流出口７２０ｂとを有する。従って、流体は、本体７１２の全長に沿って流通可能である。流体流路７２０は、本体７１２に関する中心の流路であり、流体流れ路は、本体７１２の長さの少なくとも一部に関して、管状のハウジング７１８により包囲されかつ形成される。
【０１４６】
主流体流路７３０が設けられる。主流体流路７３０は、第２の本体部分７１６に、フィルタで覆われた入口７３０ａを有する。また、ファン及びモータを含むファンアセンブリ７６０が、第２の本体部分７１６に設けられ、流体は、ファンアセンブリ７６０により主流体流路７３０へ引き込まれる。入口７３０ａから入る流体は、ファンアセンブリ７６０により引き込まれ、第２の本体部分７１６を通り、ダクト７１４に入る。入口７３０ａは、流体をそれがファンアセンブリに到達する前に濾過するフィルタ、すなわち、モータ前フィルタにより覆われている。主流体流路７３０は、ダクト７１４が本体７１２と出会う場所で、本体７１２の外側壁７８０及び管状ハウジング７１８により形成される。この主流体流路内で、本体の２つの壁７８０、７１８間に少なくとも部分的に環状の加熱器７４６が収容され、加熱器は、主流体流路７３０を貫流する流体を加熱可能である。従って、電気器具に引き込まれた流体は、その後、加熱器で直接加熱される。
【０１４７】
流体流路７２０を通過する取り込まれた流体は、管状ハウジングの下流端７１８ｂから出て、本体７１２の流体出口７１２ｂの近くで主流体流路７３０から出る流体と結合する。従って、引き込まれた流れは、取り込まれた空気により増強又は補強される。
【０１４８】
図３２及び図３３は、電気器具を貫通する流体流路８２０を形成する本体８１２と、第１の本体８１２から延びるダクト８１４とを有する１ハンドル式電気器具８００を示している。
【０１４９】
流体流路８２０は、本体８１２の後端８１２ａの流体吸入口８２０ａと、本体８１２の前端８１２ｂの流体流出口８２０ｂとを有する。従って、流体は、本体８１２の全長に沿って流通可能である。流体流路８２０は、本体８１２に関する中心の流路であり、流体流れ路は本体８１２の長さの少なくとも一部に関して、管状のハウジング８１８により包囲されかつ形成される。
【０１５０】
主流体流路８３０が設けられる。主流体流路８３０は、ダクト８１４に、フィルタで覆われた入口８３０ａを有する。また、ファン及びモータを含むファンアセンブリ８６０が、ダクト８１４に設けられ、流体は、ファンアセンブリ８６０により主流体流路８３０へ引き込まれる。入口８３０ａから入る流体は、ファンアセンブリ８６０により引き込まれ、ダクト８１４を通り、本体８１２に入る。入口８３０ａは、流体をそれがファンアセンブリに到達する前に濾過するフィルタ、すなわち、モータ前フィルタにより覆われている。本体８２０において、主流体流路８３０は、本体８２０の外側壁８８０と管状ハウジング８１８とにより形成される。主流体流路内で、本体の２つの壁８８０、８１８間に少なくとも部分的に環状の加熱器８４６が収容され、加熱器は、主流体流路８３０を貫流する流体を加熱可能である。従って、電気器具に引き込まれた流体は、その後、加熱器で直接加熱される。
【０１５１】
流体流路８２０を通過する取り込まれた流体は、管状ハウジングの下流端８１８ｂから出て、本体８１２の流体出口８１２ｂの近くで主流体流路８３０から出る流体と結合する。従って、引き込まれた流れは、取り込まれた空気により増強又は補強される。
【０１５２】
図１８、図１９、及び図２７に示す実施形態において、管状ハウジング２１８、３９４は本体１２の全長にわたって延びるので、加熱器への接近に関して小さな環状の開口部があるに過ぎない。
【０１５３】
本発明は、ヘアドライヤーに関して詳しく説明してきたが、それは、流体を引き込み、かつその流体の電気器具からの流出を誘導するあらゆる電気器具に適用可能である。
【０１５４】
電気器具は、加熱器あり又は加熱器なしで使用可能であり、高速での流体の流出作用は乾燥効果を有する。
【０１５５】
電気器具を通る流体は、一般的には空気であるが、１つ又は複数の気体の異なる組合せとすることができ、かつ電気器具の性能又は出力が例えば毛髪及びその毛髪の整髪へ向けられるという目的に対する電気器具の影響を改善するような付属物を含むことが可能である。
【０１５６】
本発明は、上述の詳細な記載に限定されない。変形は、当業者には明らであろう。
【符号の説明】
【０１５７】
１０  電気器具
１２  第１の本体
１４  ダクト
１６  第２の本体
２０  流体流路
【図１】
0005758944.tif 000002
【図２】
0005758944.tif 000003
【図３】
0005758944.tif 000004
【図４】
0005758944.tif 000005
【図５ａ】
0005758944.tif 000006
【図５ｂ】
0005758944.tif 000007
【図５ｃ】
0005758944.tif 000008
【図６】
0005758944.tif 000009
【図７】
0005758944.tif 000010
【図８】
0005758944.tif 000011
【図９】
0005758944.tif 000012
【図１０】
0005758944.tif 000013
【図１１】
0005758944.tif 000014
【図１２】
0005758944.tif 000015
【図１３】
0005758944.tif 000016
【図１４】
0005758944.tif 000017
【図１５】
0005758944.tif 000018
【図１６】
0005758944.tif 000019
【図１７】
0005758944.tif 000020
【図１８】
0005758944.tif 000021
【図１９】
0005758944.tif 000022
【図２０】
0005758944.tif 000023
【図２１】
0005758944.tif 000024
【図２２ａ】
0005758944.tif 000025
【図２２ｂ】
0005758944.tif 000026
【図２３】
0005758944.tif 000027
【図２４ａ−ｂ】
0005758944.tif 000028
【図２５】
0005758944.tif 000029
【図２６】
0005758944.tif 000030
【図２７】
0005758944.tif 000031
【図３０】
0005758944.tif 000032
【図３１】
0005758944.tif 000033
【図３２】
0005758944.tif 000034
【図３３】
0005758944.tif 000035
【図２８】
0005758944.tif 000036
【図２９】
0005758944.tif 000037